(57)【特許請求の範囲】
【請求項１】
前面に扉を備えた収納ボックスを壁面に設置する収納ボックスの取付け構造であって、
前記収納ボックスは、前記壁面に固定される施工プレートと、その施工プレートに保持されて固定されるボックス部を備え、
前記施工プレートには、前記壁面に固定される壁面固定部と、前記壁面固定部より前方に突出して設けられたボックス取付け部と、前記ボックス取付け部に形成され、前記ボックス部を保持するための係止部と、が設けられ、
前記係止部は、上方に開口した切欠き形状に設けられ、
前記ボックス部の背面には、前記係止部に係止される被係止部が設けられ、
前記施工プレートが前記壁面に固定され、
前記被係止部は、前記ボックス部の背面側にボルトの頭部が突出するように挿通されたボルトにより形成されるとともに、そのボルトのねじ部に前記ボックス部の内側からナットが固定され、
前記ボルトの回転規制部は、前記係止部に嵌合して回転しない形状に形成され、
前記係止部に、前記ボルトを係止させた状態で前記ボルトと前記ナットの締め付けにより、前記施工プレートと前記ボックス部が固定されており、
前記ボックス取付け部は、前記壁面固定部から前方に突出する支持部と、その支持部の前端部から直角に設けられたボックス固定部を備え、そのボックス固定部に前記係止部が設けられており、
前記ボックス取付け部の前記支持部の長さは、前記係止部に前記被係止部を係止させた際に、前記壁面固定部に前記ボルトの頭部が圧接し、前記ナットを締め付けても前記ボルトが回転しない長さに形成されていることを特徴とする収納ボックスの取付け構造。
【発明の詳細な説明】
【技術分野】
【０００１】
本発明は、収納ボックスの取付け構造に関する。
【背景技術】
【０００２】
従来より、郵便物等の小型配達物を受取り保管するための郵便受け等の収納ボックスが、門、門袖、ブロック塀、建物等の壁面に設置されている。
【０００３】
このような収納ボックスは、通常、ステンレス鋼板やガルバリウム鋼板等で成型された、郵便物等を受入保管する保管室部と、この保管室部から郵便物等を取出すための扉を有している。そして、このような収納ボックスとしては、建物の形態やその外部環境等に応じて様々な形状や構造のものが知られている。
【０００４】
例えば、前面に扉を備え、建物やブロック塀等の壁面の表側に直接固定される収納ボックスや、壁面の裏側に郵便物等の保管室部を有し、壁面の表側に郵便物等の投入口を臨ませるようにした収納ボックスが知られている。
【０００５】
通常、これらの収納ボックスの設置施工においては、重量のある収納ボックスを設置位置の高さまで持ち上げて、その高さで保持させた状態でねじ等により壁面に取り付ける必要がある。
【０００６】
そのため、収納ボックスの設置施工は非常に労力がかかる作業であり、収納ボックスの正確な位置への取付けが必ずしも容易ではなかった。また、収納ボックスを誤って落下させて破損させる危険性があった。
【０００７】
このような不都合を解消するため、壁面の裏側に保管室部を有し、壁面の表側に投入口を臨ませた収納ボックスの設置施工時において、壁面と収納ボックスの間に板状スペーサーを介在させる収納ボックスの取付け方法が提案されている（特許文献１を参照）。
【０００８】
この収納ボックスの取付け方法によれば、収納ボックスの投入口を壁面の上部に支持させた状態で、壁面の裏側と保管室部の間に板状スペーサーを挿入し、板状スペーサーを壁面に圧接させるとともに、この板状スペーサーに収納ボックスを固定するようにしている。
【０００９】
そして、これにより、収納ボックスの設置施工時に、収納ボックスを安定させた状態で正確な位置に取付けが可能となり、設置施工の作業性が向上するとともに、収納ボックスを落下させることによる破損の危険性がなくなるようにしている。
【先行技術文献】
【特許文献】
【００１０】
【特許文献１】特開２００６−２３０４７８号公報
【発明の概要】
【発明が解決しようとする課題】
【００１１】
しかしながら、前面に扉を備えた収納ボックスを壁面の表側に設置する場合には、壁面に対して支持させる部分が存在しない。つまり壁面に収納ボックスを支持させた状態で板状スペーサーを挿入させることができないため、前面に扉を備えた収納ボックスの設置施工に対しては特許文献１の取付け方法は適用できないものであった。
【００１２】
このため、前面に扉を備えた収納ボックスの取付けにおいては、設置施工に労力がかかり、正確な位置に取付けが容易ではなく、収納ボックスを誤って落下させて破損させる危険性があるといった従来の問題点は解消されないでいた。
【００１３】
本発明は、上記従来の問題点に鑑みてなされたものであり、前面に扉を備えた収納ボックスの設置施工において、簡便にして正確な位置への取り付けが容易であって、収納ボックスの破損の危険性の少ない収納ボックスの取付け構造を提供することを課題とする。
【課題を解決するための手段】
【００１４】
本発明は、上記の課題を解決するために、以下のことを特徴としている。
【００１５】
すなわち、本発明の収納ボックスの取付け構造は、前面に扉を備えた収納ボックスを壁面に設置する収納ボックスの取付け構造であって、前記収納ボックスは、前記壁面に固定される施工プレートと、その施工プレートに保持されて固定されるボックス部を備え、前記施工プレートには、前記壁面に固定される壁面固定部と、前記壁面固定部より前方に突出して設けられたボックス取付け部と、前記ボックス取付け部に形成され、前記ボックス部を保持するための係止部と、が設けられ、前記係止部は、上方に開口した切欠き形状に設けられ、前記ボックス部の背面には、前記係止部に係止される被係止部が設けられ、前記施工プレートが前記壁面に固定され、前記被係止部は、前記ボックス部の背面側にボルトの頭部が突出するように挿通されたボルトにより形成されるとともに、そのボルトのねじ部に前記ボックス部の内側からナットが固定され、前記ボルトの回転規制部は、前記係止部に嵌合して回転しない形状に形成され、前記係止部に、前記ボルトを係止させた状態で前記ボルトと前記ナットの締め付けにより、前記施工プレートと前記ボックス部が固定されており、前記ボックス取付け部は、前記壁面固定部から前方に突出する支持部と、その支持部の前端部から直角に設けられたボックス固定部を備え、そのボックス固定部に前記係止部が設けられており、前記ボックス取付け部の前記支持部の長さは、前記係止部に前記被係止部を係止させた際に、前記壁面固定部に前記ボルトの頭部が圧接し、前記ナットを締め付けても前記ボルトが回転しない長さに形成されていることを特徴とする。
【発明の効果】
【００１６】
本発明によれば、前面に扉を備えた収納ボックスの設置施工において、簡便にして正確な位置への取り付けが容易であり、収納ボックスの破損の危険性の少ない収納ボックスの取付け構造を提供することができる。
【図面の簡単な説明】
【００１７】
【図１】本発明の収納ボックスの取付け構造の一実施形態を示す概略分解斜視図である。
【図２】係止部を壁面固定部により直接的に形成した施工プレートの例を示す概略斜視図である。
【図３】本発明の収納ボックスの取付け構造の他の実施形態を示す概略分解斜視図である。
【図４】係止部にボルトの回転規制部を嵌合させる状態を示す概略斜視図である。
【発明を実施するための形態】
【００１８】
以下、発明を実施するための形態を示し、本発明の収納ボックスの取付け構造をさらに詳細に説明する。図１は本発明の収納ボックス１の取付け構造の一実施形態を示す概略分解斜視図である。
【００１９】
本実施形態の収納ボックス１の取付け構造は、前面に扉５を備えた収納ボックス１を壁面２に設置する収納ボックス１の取付け構造である。
【００２０】
収納ボックス１は、壁面２に固定される施工プレート３と、その施工プレート３に保持されて固定されるボックス部４を備え、施工プレート３には、壁面２に固定される壁面固定部６と、ボックス部４を保持するための係止部７が設けられている。
【００２１】
また、ボックス部４の背面には、係止部７に係止される被係止部８が設けられている。施工プレート３が壁面２に固定され、係止部７に被係止部８が係止された状態で施工プレート３とボックス部４が固定される。
【００２２】
施工プレート３は、ボックス部４を壁面２に固定するための部材である。
【００２３】
施工プレート３には、壁面２に自らを固定するための壁面固定部６と、ボックス部４を引掛けて保持する係止部７が設けられている。壁面固定部６には、図１に示すように、ねじ１８等により壁面２に施工プレート３を固定するためのねじ留め孔１９が設けられている。施工プレート３は、ねじ留め孔１９にねじ１８等を介して壁面２に強固に固定される。
【００２４】
なお、施工プレート３は、壁面２に対してできる限り強固に固定する必要があるため、壁面２に予め下穴２０を開けておき、その下穴２０に固定用プラグ２１を挿入し、これにねじ１８を螺着して固定したり、アンカーを用いて固定することが望ましく考慮される。また、ねじ１８による固定と、セメントや接着剤等による固定を併用してさらに強固に固定することもできる。
【００２５】
施工プレート３の大きさや厚みは、施工プレート３を取り付ける壁面２の形状や材質、固定するボックス部４の大きさや重さ等に応じて適宜決定することができる。また、施工プレート３の材質としては、施工プレート３が容易に変形や破損しないものであれば特に制限はなく、例えば、ステンレス鋼板や亜鉛めっき鋼板等の金属板や硬質の樹脂板等を用いることができる。
【００２６】
ボックス部４は、郵便物等の配達物が収納可能な保管室部１３を有しており、前面には保管室部１３から配達物等を出し入れが可能な開口部とその開口部を開閉する扉５が設けられている。ボックス部４の材質は特に限定されるものではないが、通常、耐候性、デザイン性に優れたステンレス鋼、亜鉛めっき鋼、ガルバリウム鋼等の金属や樹脂等により形成させたものが好適に用いられる。
【００２７】
また、ボックス部４の背面には、施工プレート３に設けられた係止部７に引掛り、ボックス部４を保持させるための被係止部８が設けられている。
【００２８】
施工プレート３に設けられた係止部７と、ボックス部４の背面に設けられた被係止部８は、相互に対応する位置関係で設けられている。
【００２９】
そして、設置施工時には、施工プレート３の係止部７に、ボックス部４の被係止部８が引っ掛かった状態で相互に噛み合い、壁面２に固定された施工プレート３からボックス部４が容易に脱落しないように保持される。
【００３０】
図１のように、壁面固定部６より前方に突出して設けたボックス取付け部９に係止部７を形成することにより、取付け施工時に安定して容易に係止部７に対して被係止部８を引掛けて係止させることが可能となり、設置施工の作業性を向上させることができる。
【００３１】
係止部７は、被係止部８を係止できればよく、例えば、図２に示すように、施工プレート３の壁面固定部６により直接的に形成されていてもよいが、図１に示すように、施工プレート３の壁面固定部６より前方に突出して設けたボックス取付け部９に形成するのが好ましい。
【００３２】
係止部７の形状は、ボックス部４の背面に設けた被係止部８を引掛けて係止できる形状のものであれば特に制限されるものではなく、図２に示すような矩形の切欠き形状に形成したり、図１に示すような途中で直角に折れ曲がったＬ字状の切欠き形状とすることができる。
【００３３】
図１に示すような、直角に折れ曲がった切欠き形状の係止部７に対して被係止部８を係止させる場合には、係止部７の上方から被係止部８を挿入し、下まで挿入したところで水平にずらすことにより確実に係止させることができる。これにより、設置施工時に施工プレート３からのボックス部４の脱落を確実に防止することができ、落下によるボックス部４の破損を防止することができるためより好ましい。
【００３４】
本実施形態の収納ボックス１の取付け構造においては、壁面２に固定された施工プレート３にボックス部４を保持させた状態で、施工プレート３とボックス部４が固定される。
【００３５】
施工プレート３とボックス部４の固定方法は特に限定されるものではなく、例えば、ボックス部４の保管室部１３の内部から、ねじ２２により施工プレート３の壁面固定部６やボックス取付け部９に固定したり、ボルトとナットにより相互を固定することもできる。また、施工プレート３の壁面固定部６やボックス取付け部９と、ボックス部４の背面とを接着剤や接着力が強力な両面テープにより固定したり、ねじ２２による固定と併用することもできる。
【００３６】
また、本実施形態の収納ボックス１の取付け構造においては、図３に示すように、ボックス部４の被係止部８をボックス部４の背面側にボルト１０の頭部１１が突出するように挿通させたボルト１０により形成し、ボルト１０のねじ部１２に、保管室部１３の内側からナット１４を締めつけて固定するのが好ましく考慮される。
【００３７】
このように、ボルト１０を被係止部８として係止部７に保持させ、この状態でボルト１０にナット１４を螺合させて締め付けることにより、被係止部８としてのボルト１０と締め付けたナット１４により施工プレート３とボックス部４を強固に固定することができる。
【００３８】
また、ボルト１０の頭部１１とねじ部１２の間に、施工プレート３のボックス取付け部９に設けられた係止部７に嵌合し、回転しない形状の回転規制部１５が形成されていることが好ましく考慮される。
【００３９】
ボルト１０の回転規制部１５が係止部７に嵌合する形状としては、係止部７にボルト１０が嵌合して回転しなければ特に限定されるものではないが、例えば、図４に示すように、ボルト１０の回転規制部１５の軸に対して直角方向の断面形状を係止部７に挿入可能な矩形の形状とすることができる。これにより、係止部７に被係止部８のボルト１０を係止させた状態で嵌合し、ボルト１０が回転しないようにすることができる。また、この状態で保管室部１３の内側からナット１４を回転させて締め付けても、ボルト１０は回転せず、容易に施工プレート３とボックス部４を強固に固定させることができる。
【００４０】
また、係止部７に被係止部８を保持させた状態で、被係止部８のボルト１０とナット１４以外のねじ２２等により施工プレート３とボックス部４を固定する必要がないため、より簡便で効率的な設置施工が可能となる。
【００４１】
本実施形態の収納ボックス１の取付け構造においては、ボックス取付け部９は、壁面固定部６から前方に突出する支持部１６と、その支持部１６の前端部から直角に折り曲げて設けられたボックス固定部１７を備え、そのボックス固定部１７に係止部７が設けられていることが好ましく考慮される。
【００４２】
そして、ボックス取付け部９の支持部１６の長さを係止部７に被係止部８を係止させた際に、壁面固定部６にボルト１０の頭部１１が圧接し、ナット１４を締め付けてもボルト１０が回転しない長さに形成することが好ましく考慮される。
【００４３】
このように、支持部１６の長さを壁面固定部６にボルト１０の頭部１１が圧接し、ボルト１０が回転しない長さとすることにより、係止部７とボルト１０の回転規制部１５を嵌合させてボルト１０を固定させなくても、ナット１４の締め付けによりボルト１０が回転しないようにすることができる。
【００４４】
また、支持部１６の長さをボルト１０の頭部１１が壁面固定部６に圧接して回転しない長さとし、さらに、係止部７とボルト１０の回転規制部１５を嵌合させてボルト１０を固定させることにより、確実に係止部７に被係止部８を係止させることができる。
【００４５】
以下に、本実施形態の収納ボックス１の取付け構造とするための、収納ボックス１の取付け方法の一実施形態を図３に示す実施形態の収納ボックス１の取付け構造の概略分解斜視図を用いて説明する。
【００４６】
まず、壁面２に施工プレート３を固定する。具体的には、施工プレート３を固定する壁面２の位置に予め下穴２０を開けておき、そこに固定用プラグ２１を挿入して施工プレート３の壁面固定部６に設けられたねじ留め孔１９を介してねじ１８を螺着する。これにより壁面２に施工プレート３が強固に固定される。また、施工プレート３は収納ボックス１と比較して軽いため、施工プレート３を手で持ちながら取り付けても、正確な位置への取り付けが可能となる。
【００４７】
次に、ボックス部４の背面側にボルト１０の頭部１１が突出するように挿通させた被保持部のボルト１０のねじ部１２に、保管室部１３の内側からナット１４を緩く螺合させた状態とする。そして、ボルト１０の回転規制部１５を施工プレート３の保持部に上方から下方に挿入して、さらに水平方向にずらして係止部７と回転規制部１５を嵌合し係止させ、施工プレート３にボックス部４を保持させる。
【００４８】
そして、この状態で保管室部１３の内側からさらにナット１４を強く締め付けることにより、施工プレート３とボックス部４を強固に固定する。
【００４９】
上記の取付け方法により、本実施形態の収納ボックス１の取付け構造を有する収納ボックス１を壁面２に対して強固に固定することができる。
【００５０】
以上、本発明の収納ボックスの取付け構造を実施形態に基づいて説明したが、本発明の収納ボックスの取付け構造は上記の実施形態に限定されるものではなく、その要旨を逸脱しない範囲内において種々の変更が可能である。
【００５１】
例えば、上記実施形態では、施工プレート３に係止部７を上下の所定の位置にそれぞれ２個形成させ、ボックス部４にはこれに対応する被係止部８を形成させているが、係止部７及び被係止部８はそれぞれ１個以上形成されていればよく、特に限定されるものではない。
【００５２】
また、上記実施形態では、被係止部８とするボルト１０の回転規制部１５の断面形状を矩形としたが、係止部７に嵌合する形状であればよく、例えば六角形やその他の多角形であってもよい。
【００５３】
上記の構成を有する本発明の収納ボックスの取付け構造によれば、前面に扉を備えた収納ボックスの設置施工において、簡便にして正確な位置に取り付けを可能とし、収納ボックスの破損の危険性のない収納ボックスの取付け構造とすることができる。
【符号の説明】
【００５４】
１  収納ボックス
２  壁面
３  施工プレート
４  ボックス部
５  扉
６  壁面固定部
７  係止部
８  被係止部
９  ボックス取付け部
１０  ボルト
１１  頭部
１２  ねじ部
１３  保管室部
１４  ナット
１５  回転規制部
１６  支持部
１７  ボックス固定部
【図１】
0006624555.tif 000002
【図２】
0006624555.tif 000003
【図３】
0006624555.tif 000004
【図４】
0006624555.tif 000005